(57)【特許請求の範囲】
【請求項１】
入力する映像信号を映像表示部に表示するための映像処理装置において、
入力する映像信号のフォーマットを示す第１の属性情報と、該映像信号の伝送特性を示す第２の属性情報とを取得する属性情報判別部と、
該属性情報判別部が取得した該第１の属性情報と該第２の属性情報から、当該映像信号に対する画質調整量を求める画質調整量算出部と、
該画質調整量算出部が求めた該画質調整量に基づき、当該映像信号の画質を調整して上記映像表示部に出力する映像処理部とを備え、
前記画質調整量算出部は、
前記第２の属性情報に含まれるビットレートＢｒ、解像度Ｒｅ及びフレームレートＦｒの比から画質評価値Ｐ＝Ｂｒ／Ｒｅ／Ｆｒを定義し、
前記第１の属性情報であるフォーマット毎に定めた基準ビットレート、基準解像度及び基準フレームレートから算出される前記画質評価値Ｐを画質評価基準値Ｐ０と定め、
表示する映像信号の前記画質評価値をＰ１とし、該映像信号のフォーマットに対応する前記画質評価基準値Ｐ０との比である画質評価値比Ｐｒ＝Ｐ１／Ｐ０を求め、
該画質評価値比Ｐｒ用いて当該映像信号に対する前記画質調整量を決定することを特徴とする映像処理装置。
【請求項２】
請求項１記載の映像処理装置において、
前記第１の属性情報に対する画質調整オフセット値を格納する第１の管理テーブルと、
前記第２の属性情報に対する前記画質評価値比Ｐｒに応じた画質調整補正量を格納する第２の管理テーブルとを備え、
前記画質調整量算出部は、上記第１の管理テーブルと上記第２の管理テーブルとを参照して前記画質調整量を求めることを特徴とする映像処理装置。
【請求項３】
請求項１記載の映像処理装置において、
前記映像処理部が画質を調整する項目として、画質のエンハンサ、ノイズリダクション及びコントラストの少なくとも１つを含むことを特徴とする映像処理装置。
【請求項４】
入力する映像信号を表示するための映像処理方法において、
入力する映像信号のフォーマットを示す第１の属性情報と、該映像信号の伝送特性を示す第２の属性情報とを取得するステップと、
取得した該第１の属性情報と該第２の属性情報から、当該映像信号に対する画質調整量を求めるステップと、
求めた該画質調整量に基づき、当該映像信号の画質を調整して表示するステップとを備え、
前記画質調整量を求めるステップでは、
前記第２の属性情報に含まれるビットレートＢｒ、解像度Ｒｅ及びフレームレートＦｒの比から画質評価値Ｐ＝Ｂｒ／Ｒｅ／Ｆｒを定義し、
前記第１の属性情報であるフォーマット毎に定めた基準ビットレート、基準解像度及び基準フレームレートから算出される前記画質評価値Ｐを画質評価基準値Ｐ０と定め、
表示する映像信号の前記画質評価値をＰ１とし、該映像信号のフォーマットに対応する前記画質評価基準値Ｐ０との比である画質評価値比Ｐｒ＝Ｐ１／Ｐ０を求め、
該画質評価値比Ｐｒ用いて当該映像信号に対する前記画質調整量を決定することを特徴とする映像処理方法。
【請求項５】
請求項４記載の映像処理方法において、
前記画質調整量を求めるステップでは、
前記第１の属性情報から画質調整オフセット値を決定し、
前記第２の属性情報から前記画質評価値比Ｐｒに応じて画質調整補正量を決定し、
該画質調整オフセット値と該画質調整補正量とを加算して画質調整量を求めることを特徴とする映像処理方法。
【請求項６】
請求項４記載の映像処理方法において、
前記画質を調整して表示するステップでは、前記画質を調整する項目として、画質のエンハンサ、ノイズリダクション及びコントラストの少なくとも１つを含むことを特徴とする映像処理方法。
【発明の詳細な説明】
【技術分野】
【０００１】
本発明は、入力した映像信号を好適に画質調整して表示させることが可能な映像処理装置及び映像処理方法に関する。
【背景技術】
【０００２】
従来のテレビジョン受像機やディスプレイ装置では、輝度、コントラストおよびシャープネスといった画質を調整する機能が備わっており、ユーザは画面を見ながら好みの画質に調整することができる。また、入力映像の種類に応じて自動的に調整する方法も提案されている。
【０００３】
例えば特許文献１には、ＴＶチューナ、カーナビゲーションおよびＶＴＲなどの複数の映像ソース別に、ユーザ所望の輝度、コントラスト、色相および色濃度などの映像調整量を記憶しておき、入力する映像ソースに対応して自動的に映像調整を行う映像信号処理装置が開示される。
【０００４】
また特許文献２には、製版工程などにおいて、圧縮画像データに対し圧縮情報（圧縮方法や圧縮率）に応じて画像の鮮鋭化などの画像処理を行うための装置が開示される。
【０００５】
【特許文献１】特開平７−２７４０９０号公報
【特許文献２】特開２００４−３０４５６１号公報
【発明の開示】
【発明が解決しようとする課題】
【０００６】
種々の映像ソースから入力する映像信号は、種々の圧縮フォーマットだけでなく、ビットレート、解像度、及びフレームレートなどの伝送パラメータを変えて生成されている。そして、これらの伝送パラメータは、表示画面からユーザが受ける先鋭度やノイズ感を左右するものである。よって、入力する映像信号をより好適に表示するには、映像ソースの種別や圧縮フォーマットなどの定性的条件だけでなく、伝送パラメータの定量的条件をも考慮して画質調整を行わなければならない。
【０００７】
上記特許文献１や特許文献２に開示される技術では、映像ソースの種別や圧縮フォーマットなどの定性的条件に着目して画質調整を行っているものであり、これだけではきめ細かな画質調整を行うことは期待できない。
【０００８】
本発明の目的は、入力する映像信号に対してより精度の高い画質調整を行い、ユーザに対しより好適な映像を表示させる映像処理装置及び映像処理方法を実現することにある。
【課題を解決するための手段】
【０００９】
上記の目的を達成するための、本発明に係る映像処理装置は、入力する映像信号のフォーマットを示す第１の属性情報と映像信号の伝送特性を示す第２の属性情報とを取得する属性情報判別部と、取得した第１の属性情報と第２の属性情報から、当該映像信号に対する画質調整量を求める画質調整量算出部と、求めた画質調整量に基づき当該映像信号の画質を調整して映像表示部に出力する映像処理部とを備える。
【００１０】
ここに第２の属性情報には、映像信号のビットレート、解像度及びフレームレートの少なくとも１つを含む。
【００１１】
また、第１の属性情報に対する画質調整オフセット値を格納する第１の管理テーブルと、第２の属性情報に対する画質調整補正量を格納する第２の管理テーブルとを備え、画質調整量算出部は、第１の管理テーブルと第２の管理テーブルとを参照して画質調整量を求める。
【００１２】
本発明に係る映像処理方法は、入力する映像信号のフォーマットを示す第１の属性情報と映像信号の伝送特性を示す第２の属性情報とを取得し、取得した第１の属性情報と第２の属性情報から当該映像信号に対する画質調整量を求め、求めた画質調整量に基づき当該映像信号の画質を調整して表示する。
【発明の効果】
【００１３】
本発明によれば、入力する映像信号に対してより精度の高い画質調整を行い、ユーザに対しより好適な映像を表示できる。
【発明を実施するための最良の形態】
【００１４】
以下、本発明の実施形態について、図面を参照しながら詳細に説明する。
【００１５】
本実施形態に係る映像処理装置においては、入力する映像ソースとして各種の記録媒体からの映像信号が入力可能である。記録媒体としては、フラッシュメモリを搭載した着脱可能なメモリカード、光ディスク（ＣＤ−Ｒ、ＣＤ−ＲＷ、ＤＶＤ−ＲＡＭ、ＤＶＤ±Ｒ、ＤＶＤ±ＲＷ）、リムーバブルなＨＤＤ等が可能である。また、ＵＳＢインタフェース、ＩＥＥＥ１３９４インタフェース（いわゆるＤＶ端子）などの入力部を介して接続された外部機器（デジタルビデオカメラ、デジタルカメラ、ＤＶＤプレーヤー、メモリカードリーダなど）からの入力も可能である。これらの記録媒体には、デジタルカメラやパソコン等の記録機器により動画ファイルや静止画ファイルが種々の形式で記録されており、本装置はこのような各種記録媒体における各種信号形式に対応するものである。
【００１６】
また本装置は、メモリーカードインタフェース、ＵＳＢインタフェース、及び光ディスクドライブ等とアクセスするためのインタフェース部を有する。そして、このインタフェース部によって、記録媒体に記録されている画像ファイルを直接制御できる。本装置は、例えばＰＤＰＴＶやＬＣＤＴＶ、プロジェクションＴＶ等のテレビジョン受像機に内蔵、もしくはテレビジョン受像機と一体的に構成されるものでもよい。さらに本装置はチューナを有し、テレビジョン放送を受信してその映像信号を処理することもできる。
【００１７】
図１は、本発明による映像処理装置の一実施例を示すブロック図である。映像処理装置１は、例えば赤外線を用いたリモートコントローラ（以下、リモコン）１８から送信されたリモートコントロール信号（以下、リモコン信号）１９によって操作される。赤外線受光部２０は、リモコン信号１９を受けると電気信号に変換して、バスライン１４を介してメイン処理部８に伝送する。メイン処理部８はＣＰＵ（Ｃｅｎｔｒａｌ  Ｐｒｏｃｅｓｓｉｎｇ  Ｕｎｉｔ）を含む演算制御装置で、受信したリモコン信号１９に基づいて、映像処理装置１の全体の制御を行う。
【００１８】
映像処理装置１は、図示しない外部の記録機器（例えばデジタルビデオカメラやデジタルカメラ）で記録された画像データが入力されるＵＳＢ入力端子２、メモリカード３の装着機構、及び光ディスクのドライブ部４を有している。まず、これらの画像データ（映像信号）の信号入力部について説明する。ＵＳＢ入力端子２からの画像データ、メモリカードに記録された画像データ、光ディスクに記録された画像データは、いずれもファイル形式で構成されているので、以下ではこれらを画像ファイルとも呼ぶ。
【００１９】
インタフェース部（以下、Ｉ／Ｆ部）５は、メモリインタフェース、ＵＳＢインタフェース、光ディスクドライブ部４のインタフェースを含む。そして、各入力部から入力した画像ファイルは、Ｉ／Ｆ部５によって、バスライン１４を介してメモリ７に格納される。
【００２０】
メモリ７は、例えば不揮発性の書き替え可能なメモリで構成されており、入力した画像ファイルを一時的に格納する。またメモリ７には、予め、入力する画像ファイルの条件により自動的に画質を調整するための画質調整管理テーブル（オフセット値管理テーブルと補正量管理テーブル）が格納されている。さらに、ユーザによって設定された画質調整管理テーブル（ユーザ画質調整値管理テーブル）も格納することができる。なお、メモリ７は格納する内容（画像ファイルと管理テーブルなど）によって、分割して設けてもよい。例えば不揮発性メモリの容量を小さくするため、管理テーブルのデータは安価なＲＯＭに格納すれば、全体のコストダウンを図ることができる。
【００２１】
メイン処理部８は、メモリ７に格納された画像ファイルからその伝送特性などを含む画像ファイル属性情報（フォーマット、ビットレート、解像度、フレームレートなど）を取得して、その内容を解析（識別）する。そして、画像ファイル属性情報内のフォーマット情報を識別し、当該装置１で処理可能なフォーマットであるか否か、またデコード処理できるか否かを判断する。ここに画像ファイルのフォーマット情報とはファイルの圧縮形式等を示し、例えばＪＰＥＧ、ＭＰＥＧ１、Ｍｏｔｉｏｎ＿ＪＰＥＧ、ＭＰＥＧ４等の識別である。また、ビットレートなどの画像ファイル属性情報に応じて、メモリ７に格納されている画質調整管理テーブルを参照して画質調整値を算出する。算出した画質調整値は、映像処理部１６に送る。またメイン処理部８は、動画／静止画ファイルデコード処理部（以下、デコード部）６およびＯＳＤ付加部２１を制御し、画像ファイルの代表静止画画像であるサムネイル画像の一覧表示（以下、インデックス表示）を行わせる。
【００２２】
デコード部６は、メイン処理部８の制御により、画像ファイルの復号処理を行うとともに、デジタル復号信号から映像信号（Ｒ、Ｇ、Ｂ信号）と音声信号を生成する。また、例えばメモリカード３に記録されている複数の画像ファイルのインデックス表示を行うための各サムネイル画像を作成する。そして、メイン処理部８からの指示により、各サムネイル画像の一覧表示画面であるインデックス画面を作成する。インデックス画面は、静止画ファイルに対応する複数のサムネイル画像の一覧を表す第１インデックス画面と、動画ファイルに対応する複数のサムネイル画像の一覧を表す第２インデックス画面とを含む。画像ファイルが動画の場合、動画のうちの代表画像を選定し、代表画像をサムネイル画像とする。
【００２３】
インデックス画面を表示中、リモコン１８の方向ボタンによりサムネイル画像を選択でき、またリモコン１８の決定ボタンにより、選択されたサムネイル画像がメモリカード３から読み出され、デコード部６で復号される。
【００２４】
デコード部６から出力された映像／音声信号は、入力切替ＳＷ１５を介して映像処理部１６に供給される。ＯＳＤ付加部２１は、メイン処理部８の制御により、再生画像に付加する所定のアイコン画像や文字情報を生成する。
【００２５】
映像処理部１６は、入力された映像信号に対して、映像表示部１７で表示できるように、所定の映像処理を行うとともに、メイン処理部８から送られた画質調整値に基づいて画質調整を行う。また、ＯＳＤ付加部２１からのアイコン画像や文字情報を重畳させる。そして、映像表示部１７に出力する。映像表示部１７は各種のディスプレイ装置（ＰＤＰ、ＬＣＤ、プロジェクション）が相当し、映像処理部１６から入力した映像信号を表示する。この映像表示部１７は、映像処理装置１と一体型構造としてもよい。
【００２６】
また、映像処理装置１は、テレビジョン（ＴＶ）放送の受信機能や例えばＶＴＲなどからの外部入力機能を有している。この部分のブロック構成について説明する。なお、外部入力は複数系統可能であるが、図１では簡単のため外部入力線を１本で示している。
【００２７】
アンテナ９で受信されたＴＶ放送信号の内、例えばリモコン１８によるユーザ操作に基づくメイン処理部８の制御で、所定の放送信号がチューナ部１１で選局される。選局された放送信号は復調された後に、入力切替ＳＷ１２に出力される。入力切替ＳＷ１２は、チューナ部１１からの入力と外部入力端子１０からの複数の外部入力とを切り替えて、複合映像ソースデコード処理部１３に出力する。複合映像ソースデコード処理部１３は入力された映像信号に対して、例えばＲ、Ｇ、Ｂの映像信号に変換して、入力切替ＳＷ１５に出力する。入力切替ＳＷ１５は、複合映像ソースデコード処理部１３からの入力と、デコード部６からの入力とを切り替えて、映像処理部１６に出力する。
【００２８】
ここで、本実施例の映像処理装置の特徴について述べる。例えばデジタルカメラやＰＣ等で記録された画像ファイルは、そのフォーマット、ビットレート、解像度、及びフレームレートなどの伝送特性を含む定量化した属性パラメータ（画像ファイル属性情報）により、表示する際の最適画質が左右される。すなわちフォーマット、ビットレート、解像度、フレームレートなどのパラメータは、画質の鮮鋭度やノイズの目立ちやすさとして現れるので、鮮鋭度及びノイズを適正化する画質調整には重要な因子となる。そのため、本実施例では、まず第１ステップとして、画像ファイルのフォーマット毎に、画質調整の基準設定値（基準画質調整値）に対する最適画質調整値の偏差（以下、オフセット値）を実験的に求め、そのオフセット値を管理テーブル（以下、オフセット値管理テーブル）としてメモリ７に予め格納しておく。ここで、画質調整の基準設定値には、例えばＭｏｔｉｏｎ＿ＪＰＥＧにおける最適画質調整値を採用する。
【００２９】
さらに第２ステップとして、同一フォーマットであってもビットレート、解像度、及びフレームレートなどの伝送特性により画質が左右される。そこで、各フォーマット毎に定めた基準画質調整値（オフセット値）に対する、各ビットレート、解像度、フレームレートにおける最適画質調整値の偏差（以下、補正量）を実験的に求め、その補正量を管理テーブル（以下、補正量管理テーブル）としてメモリ７に予め格納しておく。
【００３０】
ここで基準画質調整値（オフセット値）は、フォーマット毎に定めた基準ビットレート、基準解像度、及び基準フレームレートに対する最適画質調整値である。例えばＭＰＥＧ１の場合、基準ビットレートを１０００ｋｂｐｓ、基準解像度を３２０×２４０、基準フレームレートを３０ｆｐｓとし、このときの最適画質調整値を基準画質調整値（オフセット値）とする。
【００３１】
そして、表示すべき画像ファイルから取得した画像ファイル属性情報（フォーマット、ビットレート、解像度、フレームレート）をメイン処理部８で識別し、メモリ７に格納されている画質調整管理テーブル（オフセット値管理テーブルと補正量管理テーブル）を参照して、当該画像ファイルの基準画質調整値に対するオフセット値と補正量を算出する。映像処理部１６はこの算出した値を基に、自動的に最適画質状態に調整する。
【００３２】
以下、本実施例の映像処理装置による画質調整の動作を具体的に説明する。なお、フォーマット、ビットレート、解像度及びフレームレートの差異により生じる画質の差異としては、主に鮮鋭度、ノイズの目立ちやすさが挙げられる。従って、本実施例では、実際に調整する画質調整項目として、エンハンサ、ノイズリダクション（以下、ＮＲ）、コントラストを用いるものとする。
【００３３】
図２は、本実施例におけるオフセット値管理テーブルの一例を示す図である。符号４０はオフセット値管理テーブルであり、表示する動画／静止画ファイルのフォーマット毎に画質調整オフセット値を設定して、メモリ７内に予め格納されている。テーブル４０では、表示する画像ファイルのフォーマット（例えばＪＰＥＧ、ＭＰＥＧ１、ＭＰＥＧ４、Ｍｏｔｉｏｎ＿ＪＰＥＧなど）毎に、エンハンサ、ＮＲ、コントラストという３つの画質調整項目に対して、基準画質調整値（ここではＭｏｔｉｏｎ＿ＪＰＥＧ）に対する画質調整オフセット値が与えられている。また、画像ファイルが非圧縮の場合に対しても、適用できるようにしている。
【００３４】
図２の画質調整オフセット値の決定方法を説明する。種々のフォーマットの動画／静止画ファイルを映像処理装置を介して表示し、表示された映像の画質を定量的に評価することにより、種々のフォーマットに対する適切な画質調整オフセット値を実験的に決定する。例えば、フォーマットがＭＰＥＧ１の場合、画質調整の基準設定値としたＭｏｔｉｏｎ＿ＪＰＥＧフォーマットと比較すると、圧縮率が高い代わりにノイズ感が強い。このような場合の画質調整は、エンハンサオフセット値ＥＮＭ１を基準値（ゼロ）より小、ＮＲオフセット値ＮＲＭ１をゼロより大、及びコントラストオフセット値ＣＴＭ１をゼロより小の値とする。また、例えばフォーマットがＭＰＥＧ４の場合、ＭＰＥＧ４は同ビットレートのＭＰＥＧ１に対してノイズ感が弱い。これを考慮して、鮮鋭度を高めるべくＭＰＥＧ１と比較しエンハンサオフセット値ＥＮＭ４をＥＮＭ１より大、ＮＲオフセット値ＮＲＭ４をＮＲＭ１より小、及びコントラストオフセット値ＣＴＭ４をＣＴＭ１より大とする。なお、メイン処理部８でデコード不可能と判別されたフォーマットのファイル再生の場合、デコード部６は映像出力を出力しないので、画質調整オフセット値は任意でよいが、ここでは、画質調整オフセット値をゼロとする。すなわち、画質設定値を所定の基準画質調整値とする。また、非圧縮の場合には、エンハンサオフセット値ＥＮ０を基準値（ゼロ）より大、ＮＲオフセット値ＮＲ０をゼロより小、及びコントラストオフセット値ＣＴ０をゼロより大の値とするのがよい。
【００３５】
次に図３は、本実施例における補正量管理テーブルの一例を示す図である。符号４１は補正量管理テーブルであり、表示する動画／静止画ファイルのフォーマット、ビットレート、解像度、及びフレームレートを用いて算出される「画質評価値比」毎に画質調整補正量を設定して、メモリ７内に予め格納されている。ここで、画質評価値比Ｐｒの算出方法について説明する。まず、動画ファイルにおいて
ビットレート＝解像度×フレームレート×１画素当りのビット数
という関係式が成り立ち、１画素当りのビット数が大きいほど高画質が期待できる。そこで、
画質評価値（Ｐ）＝ビットレート（Ｂｒ）／解像度（Ｒｅ）／フレームレート（Ｆｒ）
の式で画質評価値Ｐを算出する。続いて、フォーマット毎に定めた基準ビットレート、基準解像度、及び基準フレームレートを上記式に適用して算出される値を、フォーマット所定の画質評価基準値Ｐ０とする。そして、表示する動画ファイルの画質評価値Ｐ１と、そのフォーマットに対応した画質評価基準値Ｐ０の比率を求め、
画質評価値比（Ｐｒ）＝画質評価値（Ｐ１）／画質評価基準値（Ｐ０）
により画質評価値比Ｐｒを得る。上記式より、表示する動画ファイルがフォーマット所定の基準ビットレート、基準解像度及び基準フレームレートを有するとき画質評価値比Ｐｒは１となるので、このときの最適画質調整値を基準画質調整値とする。これに対し、画質評価値比Ｐｒが１以外の場合には、エンハンサ、ＮＲ、コントラストという３つの調整項目に対して、基準画質調整値に対して補正する。図３では、画質評価値比Ｐｒが４、２、１．５、０．７５、０．５、０．２５における画質調整補正量を示す。
【００３６】
図３の画質調整補正量の決定方法を説明する。種々のビットレートの動画ファイルを映像処理装置を介して表示し、表示された映像の画質を定量的に評価することにより、種々の画質評価値比Ｐｒに対する適切な画質調整補正量を実験的に決定する。例えば、ビットレート大、解像度小、フレームレート小のときは画質評価値比Ｐｒが１より大きくなり、高精細感が強く、ノイズが目立ちにくくなる。この場合には、画質調整補正として、エンハンサ補正量ＥＮ＿Ｒａｔｉｏ＿Ａ〜Ｃをゼロより大、ＮＲ補正量ＮＲ＿Ｒａｔｉｏ＿Ａ〜Ｃをゼロより小、及びコントラスト補正量ＣＴ＿Ｒａｔｉｏ＿Ａ〜Ｃを大とする。逆にビットレート小、解像度大、フレームレート小のときは画質評価値比Ｐｒが１より小さくなり、圧縮率が高くノイズが目立ちやすい。この場合には、エンハンサ補正量ＥＮ＿Ｒａｔｉｏ＿Ｄ〜Ｆをゼロより小、ＮＲ補正量ＮＲ＿Ｒａｔｉｏ＿Ｄ〜Ｆをゼロより大、及びコントラスト補正量ＣＴ＿Ｒａｔｉｏ＿Ｄ〜Ｆをゼロより小とする。表示する画像ファイルの画質評価値比に合致する画質評価値比が無い場合には、最も近い画質評価値比の画質調整補正量を適用する。なお、メイン処理部８でデコード不可能と判別されたフォーマットのファイルの場合、デコード部６は映像出力を出力しないので、画質調整補正量は任意でよいが、ここでは、画質調整補正量をゼロとする。また、静止画ファイルのようにフレームレートの情報を持たず（不定）、よって画質評価値比Ｐｒを算出できない場合は、画質調整補正量をゼロとしても良い。
【００３７】
上記したオフセット値管理テーブル４０と補正量管理テーブル４１を参照して、表示する画像ファイルに対する画質調整オフセット値と画質調整補正量をテーブルから読み出す。そして、オフセット値と補正量を加算し、エンハンサ、ＮＲ、コントラストの３つの調整項目毎に最終的な画質調整値を求め、表示する画質の調整を行う。例えば、ＭＰＥＧ１（フォーマット所定の基準ビットレート１０００ｋｂｐｓ、基準解像度３２０×２４０、フレームレート３０ｆｐｓ）でビットレート２０００Ｋｂｐｓ、解像度３２０×２４０、フレームレート３０ｆｐｓの画像ファイルの場合、画質評価値比Ｐｒは２となるため、エンハンサ調整項目では、その最終的な画質調整値は（ＥＮＭ１＋ＥＮ＿Ｒａｔｉｏ＿Ｂ）となる。
【００３８】
このように本実施例によれば、表示する画像ファイルの属性パラメータに基づき画質を調整するので、従来に比較し、よりきめ細かな調整が可能となる。すなわちファイルフォーマットなどの定性的な条件だけでなく、ビットレートなどの伝送時の定量的な条件に着目して調整するので、より精度が向上する。
【００３９】
なお、上記補正量管理テーブル４１を利用するには、全てのパラメータの情報を必要とする。しかしながら、それら全てが取得できない場合にも、取得できた一部の情報を用いて上記に順ずる画質調整を行うことも可能である。そのための画質評価値の算出式や管理テーブルを準備することも可能である。また、上記した属性パラメータは画質調整に特に有効となる一例を示したものであり、これに限定されないことは言うまでもない。これは、以下の説明においても同様である。
【００４０】
次に、図４は、本実施例の映像処理装置において自動画質調整に係わるブロック構成を示す図である。メモリ７には、表示する画像ファイルのデータと、上記したオフセット値管理テーブル４０、補正量管理テーブル４１、及び図示しないユーザ画質調整値管理テーブルとがデータベースとして格納されている。
【００４１】
メイン処理部８は、属性情報判別処理部（以下、属性判別部）８１と、画質調整値算出部８４とを含む。また、画質調整値算出部８４は、画質調整オフセット値算出部（以下、オフセット値算出部）８２と、画質調整補正量算出部（以下、補正量算出部）８３とを含む。これらは、いずれもソフトウェアにて構成している。
【００４２】
属性判別部８１は、表示する動画／静止画ファイルデータをメモリ７から読み出すとともに、そのデータから画像ファイル属性情報（フォーマット情報、ビットレート情報、解像度情報、フレームレート情報）を取得する。ここで画像ファイルには、静止画の画像ファイル（静止画ファイル）と動画の画像ファイル（動画ファイル）があり、通常の画像ファイルは拡張子を有している。よってフォーマット情報を取得するには、この拡張子を識別すればよい。本実施例では、静止画の拡張子としてＪＰＧを想定し、動画の拡張子としてＡＶＩ、ＭＯＶ、ＭＰＧ、ＡＳＦ、ＭＰ４等を想定している。なお、拡張子はこれに限定されず、その他の拡張子を含んでもよい。また同一拡張子であっても別コーデックのファイルであれば別のフォーマットとして区別することもできる。このようにして取得したフォーマット情報により、当該装置のデコード処理部６にてデコード可能かどうか判別を行う。次に、ビットレート情報、解像度情報、及びフレームレート情報については、画像ファイルのヘッダ部に含まれる情報から取得する。なお、これらの情報は、デコード部６にて処理中の動画／静止画ファイルから、リアルタイムに取得することも可能である。
【００４３】
画質調整値算出部８４は、上記取得した画像ファイル属性情報に基づいて、最適な画質調整値を算出し、映像処理部１６に該画質調整値を送出する。画質調整値算出部８４のうちオフセット値算出部８２は、上記取得したフォーマット情報及びデコード可／不可情報を基に、メモリ７に格納されたオフセット値管理テーブル４０を参照し、条件に合致する画質調整オフセット値Ｖ８２を選択し読み出す。また補正量算出部８３は、上記取得したフォーマット情報、ビットレート情報、解像度情報、フレームレート情報及びデコード可／不可情報を基に画質評価値比を算出し、メモリ７に格納された補正量管理テーブル４１を参照し、条件に合致する画質調整補正量Ｖ８３を選択し読み出す。そして、これらの値（Ｖ８２、Ｖ８３）を加算して最終の画質調整値Ｖ８４とし、映像処理部１６に送出する。
【００４４】
デコード部６は、属性判別部８１から当該動画／静止画ファイルのデコード可／不可情報を取得する。デコード可能であるときはメモリ７から読み出した画像データをデコードし、映像処理部１６に送出する。
【００４５】
映像処理部１６では、画質調整値算出部８４から取得した最終的な画質調整値Ｖ８４により、デコード処理部６から送出された映像の画質調整を行う。映像表示部１７では、映像処理部１６から送出された映像をモニタ表示する。
【００４６】
属性判別部８１は、入力する画像ファイルを常時監視し、表示する動画／静止画ファイルが切り替わった場合、直ちにフォーマット情報、ビットレート情報、解像度情報、及びフレームレート情報を取得し、関連する処理部に該情報を伝達する。オフセット値算出部８２や補正量算出部８３は、新たな条件における画質調整値を即時に算出する。従って、表示する画像ファイルが切り替わった時、自動的にかつ即時に適切な画質調整処理を行うことができる。
【００４７】
以下、上記した画質調整処理について、フローチャートを用いて説明する。図５は、本実施例における画質調整処理方法を示すフローチャートである。属性判別部８１は、表示する画像ファイルからその属性情報（フォーマット情報、ビットレート情報、解像度情報およびフレームレート情報）を取得する。そのうちフォーマット情報を用いて、デコード可／不可の判定を行う（ステップＳ１０１）。取得した属性情報とデコード可／不可情報を、画質調整値算出部８４に出力する（ステップＳ１０２）。画質調整値算出部８４は、該デコード可／不可情報により条件分岐を行う（ステップＳ１０３）。ステップＳ１０３でデコード不可（Ｎｏ）であれば、オフセット値管理テーブル４０よりデコード不可時のオフセット値０を選択する。また、補正量管理テーブル４１よりデコード不可時の補正量０を選択する（ステップＳ１０４）。ステップＳ１０３でデコード可（Ｙｅｓ）であれば、オフセット値管理テーブル４０を参照し、取得したフォーマット情報に対応した画質調整オフセット値を選択する（ステップＳ１０５）。さらに、取得したビットレート、解像度、フレームレートが不定かどうか判定を行う（ステップＳ１０６）。ステップＳ１０６でその判定が不定（Ｙｅｓ）であれば、補正量管理テーブル４１より不定時の補正量０を選択する（Ｓ１０４）。ステップＳ１０６でその判定が不定でなければ（Ｎｏ）、補正量管理テーブル４１を参照し、取得したビットレート、解像度、フレームレートから算出した画質評価値比に最も近い画質調整補正量を選択する（ステップＳ１０７）。そして、ステップＳ１０５にて選択したオフセット値と、ステップＳ１０７にて選択した補正量とを加算して画質調整値とし、映像処理部１６へ送出する（ステップＳ１０８）。映像処理部１６は、受け取った画質調整値に基づき、デコード処理部６からの映像信号の画質調整を行い、映像表示部１７へ出力する（ステップＳ１０９）。映像表示部１７は、画質調整された映像をモニタに表示する（ステップＳ１１０）。なお、ステップＳ１０９において、さらにユーザが別途設定したユーザ画質調整値を反映させて画質調整を行うこともできる。
【００４８】
本実施例の映像処理装置は、種々の動画／静止画ファイルのフォーマット、ビットレート、解像度及びフレームレートに応じて、表示する際の最適画質調整値を算出し、表示画質を自動的に調整する。よって、画像ファイルが変更する際にユーザが煩わしい画質調整を行う必要がなく、またきめ細かい画質調整が可能となるので、ユーザの使い勝手が向上する。
【００４９】
本発明は、上記実施例に限らず、その要旨を逸脱しない範囲内で種々変形して実施することが可能である。上記実施例では、入力する映像信号が画像ファイル形式の場合を述べたが、これに限らず、テレビジョン放送の受信信号など、信号形態を問わず適用できる。また画質調整のために着目する属性パラメータは一例を説明したものであり、適用する製品や信号形態に応じて適宜設定することができる。
【図面の簡単な説明】
【００５０】
【図１】本発明による映像処理装置の一実施例を示すブロック図。
【図２】本実施例におけるオフセット値管理テーブル４０の一例を示す図。
【図３】本実施例における補正量管理テーブル４１の一例を示す図。
【図４】本実施例における自動画質調整に係わるブロック構成を示す図。
【図５】本実施例における画質調整処理方法を示すフローチャート。
【符号の説明】
【００５１】
１…映像処理装置、２…ＵＳＢ入力端子、３…メモリカード、４…光ディスクドライブ、５…Ｉ／Ｆ部、６…動画／静止画ファイルデコード処理部（デコード部）、７…メモリ、８…メイン処理部、９…アンテナ、１０…外部入力端子、１１…チューナ部、１２…入力切替ＳＷ、１３…複合映像ソースデコード処理部、１４…バスライン、１５…入力切替ＳＷ、１６…映像処理部、１７…映像表示部、１８…リモコン、１９…リモコン信号、２０…赤外線受光部、２１…ＯＳＤ付加部、４０…オフセット値管理テーブル、４１…補正量管理テーブル、８１…属性情報判別処理部（属性判別部）、８２…画質調整オフセット値算出部（オフセット値算出部）、８３…画質調整補正量算出部（補正量算出部）、８４…画質調整値算出部。
【図１】
0004755489.tif 000002
【図２】
0004755489.tif 000003
【図３】
0004755489.tif 000004
【図４】
0004755489.tif 000005
【図５】
0004755489.tif 000006